(57)【要約】      （修正有）【課題】使用者の利便性を有し、且つ乳房の隆起、平衡と拡大等の視覚効果を奏するブラジャーを提供する。【解決手段】本考案のブラジャー１は、二つの嚢１１，１２と、流路３と、ポンプ５と、を含む。二つの嚢１１，１２は、流体で満たされる。流路３は、二つの嚢１１，１２にある流体が流路３を介して流れるように、二つの嚢１１，１２との間に配置され、且つ二つの嚢１１，１２に通じる。ポンプ５は、二つの嚢１１，１２に流体を充填するように、流路３と接続される。【選択図】図１
0003176347.tif 000002
【実用新案登録請求の範囲】
【請求項１】
流体で満たされる二つの嚢と、
前記二つの嚢の間に配置されて前記二つの嚢に流体を充填するポンプと、
を備えていることを特徴とするブラジャー。
【請求項２】
前記二つの嚢の間に配置され且つ前記二つの嚢に連通して前記二つの嚢に満たされた前記流体を互いに流通させる流路を備え、
前記ポンプは前記流路に接続され、
前記二つの嚢の下縁と外縁に沿って配置されて前記二つの嚢の前記下縁と前記外縁の形状を維持する支持フレームを備え、
前記支持フレームは、金属、合金、及びプラスチックからなる群から選ばれる一つを含んでいる
ことを特徴とする請求項１に記載のブラジャー。
【請求項３】
前記二つの嚢のそれぞれは、外縁を有し、
前記二つの嚢の外縁のそれぞれに接続される二つの可撓翼片を備え、
前記二つの可撓翼片のそれぞれは、使用者の身体に接着する接着面を有し、
前記二つの可撓翼片のそれぞれは、自己接着することを避けるように硬質片を含んでいる
ことを特徴とする請求項１に記載のブラジャー。
【請求項４】
前記二つの嚢に付着される少なくとも織物及びレースをさらに含み、
前記二つの嚢のそれぞれは、厚さがある上縁を有し、
前記上縁は、前記二つの嚢のそれぞれの前記上縁の厚さを減らすように花弁状部分を含んでいる
ことを特徴とする請求項１に記載のブラジャー。
【請求項５】
前記花弁状部分は、下限界を有し、
前記花弁状部分の下限界に配置されるフィルムを含み、
前記フィルムは、プラスチックフィルム、ゴム膜及び皮膜からなる群から選ばれた一つを含んでいる
ことを特徴とする請求項４に記載のブラジャー。
【請求項６】
前記流体は、気体と液体のいずれかを含み、
前記ポンプは、プレスポンプであり、前記二つの嚢との流体入口弁及び流体出口弁を含んでいる
ことを特徴とする請求項１に記載のブラジャー。
【請求項７】
前記流体は、水、油、及びそれらの組み合わせからなる群から選ばれた一つを含んでいる
ことを特徴とする請求項６に記載のブラジャー。
【請求項８】
流体で満たされる二つの嚢と、
前記二つの嚢の間に配置されて前記二つの嚢に流体を充填する流体ノズルと、
を備えている
ことを特徴とするブラジャー。
【請求項９】
前記二つの嚢の間に配置され且つ前記二つの嚢に連通して前記二つの嚢に満たされた前記流体を互いに流通させる流路を備え、
前記流体ノズルは前記流路に接続され、
前記二つの嚢の下縁と外縁に沿って配置されて前記二つの嚢の前記下縁と前記外縁の形状を維持する支持フレームを備え、
前記支持フレームは、金属、合金、及びプラスチックからなる群から選ばれる一つを含んでいる
ことを特徴とする請求項８に記載のブラジャー。
【請求項１０】
前記二つの嚢のそれぞれは、外縁を有し、
前記二つの嚢の外縁のそれぞれに接続される二つの可撓翼片を備え、
前記二つの可撓翼片のそれぞれは、使用者の身体に接着する接着面を有し、
前記二つの可撓翼片のそれぞれは、自己接着することを避けるように硬質片を含んでいる
ことを特徴とする請求項８に記載のブラジャー。
【請求項１１】
前記二つの嚢に付着される少なくとも織物及びレースをさらに含み、
前記二つの嚢のそれぞれは、厚さがある上縁を有し、
前記上縁は、前記二つの嚢のそれぞれの前記上縁の厚さを減らすように花弁状部分を含んでいる
ことを特徴とする請求項８に記載のブラジャー。
【請求項１２】
前記花弁状部分は、下限界を有し、
前記花弁状部分の下限界に配置されるフィルムを含み、
前記フィルムは、プラスチックフィルム、ゴム膜と皮膜からなる群から選ばれた一つを含んでいる
ことを特徴とする請求項１１に記載のブラジャー。
【請求項１３】
前記流体は、気体と液体のいずれかを含み、
前記流体ノズルは、前記二つの嚢に流体を充填する流体充填装置と接続されている
ことを特徴とする請求項８に記載のブラジャー。
【請求項１４】
前記流体は、水、油、及びそれらの組み合わせからなる群から選ばれた一つを含んでいる
ことを特徴とする請求項１３に記載のブラジャー。
【請求項１５】
乳房を有する使用者のためのブラジャーであって、
流体で満たされる嚢と、
嚢を移動させて前記乳房に接近するように前記嚢に付着される整形片と、
を備えている
ことを特徴とするブラジャー。
【請求項１６】
流体で満たされる二つの嚢と、
前記二つの嚢を移動させて使用者の乳房が互いに接近するように前記二つの嚢に付着される整形片と、
前記二つの嚢のそれぞれは、上縁を有し、
前記二つの整形片のそれぞれは、前記各嚢に付着される下縁を有し、
前記下縁は、前記二つの嚢の上縁が使用者の乳房が互いに接近するように、前記各嚢の上縁を角度で前記使用者に向かって傾けさせる
ことを特徴とするブラジャー。
【請求項１７】
前記二つの嚢内に前記流体を充填するポンプ又は流体ノズルと、
前記二つの嚢に満たされた前記流体を互いに流通させる流路と、
を更に備えている
ことを特徴とする請求項１６に記載のブラジャー。
【請求項１８】
前記二つの嚢の下縁と外縁に沿って配置されて前記二つの嚢の前記下縁と前記外縁の形状を維持する支持フレームと、
前記二つの嚢の前記外縁のそれぞれに接続された二つの可撓翼片と、を更に備え、
前記支持フレームは、金属、合金、及びプラスチックからなる群から選ばれる一つを含み、
前記二つの可撓翼片のそれぞれは、使用者の身体に接着する接着面を有し、
前記二つの可撓翼片のそれぞれは、自己接着することを避けるように硬質片を含んでいる
ことを特徴とする請求項１７に記載のブラジャー。
【請求項１９】
前記二つの嚢に付着される少なくとも織物及びレースをさらに含み、
前記二つの嚢のそれぞれは、厚さがある上縁を有し、
前記上縁は、前記二つの嚢のそれぞれの前記上縁の厚さを減らすように花弁状部分を含んでいる
ことを特徴とする請求項１６に記載のブラジャー。
【請求項２０】
前記流体は、気体と液体のいずれかを含み、
前記流体は、水、油、及びそれらの組み合わせからなる群から選ばれた一つを含んでいる
ことを特徴とする請求項１６に記載のブラジャー。
【考案の詳細な説明】
【技術分野】
【０００１】
本考案は、ブラジャーに関し、特に、乳房を拡大させ且つ平衡させる視覚効果を提供するブラジャーに関する。
【背景技術】
【０００２】
現在、女性が着用するブラジャーは、健康、美しさ、衛生及び快適さに加えて、乳房の形状を調整する機能を提供することができる。特に、小さな乳房を持つ女性たちのために、ブラジャーは、乳房を大きく見せる視覚効果を提供する必要がある。
【０００３】
「膨張式ブラジャー構造」と呼ばれた台湾新型番号Ｍ２７８２５０の特許によると、ブラジャーの二つのカップの下部分は、女性の乳房の曲率に基づいて二つの整形気嚢と接続されていることが開示されている。整形気嚢のそれぞれは、膨張ユニットが設定されている空気入口を有する。外部の携帯膨張装置を用いて空気を充填することができる。二つのカップにおける二つの気嚢が空気で満たされた後、膨張装置を除去することができ、膨張ユニットは気密で閉じた状態に戻す。ブラジャーの前記二つのカップにおける前記二つの整形気嚢の間には、前記二つの整形気嚢の空気を平衡させて充填するためのチューブがある。女性のためのブラジャーは、外観の整形、堅い及び隆起の機能を提供することができる。
【０００４】
台湾新型番号Ｍ２６３００１の特許には、ブラジャーの二つのカップにおける二つの嚢の間に接続通路があることが開示されている。二つの乳房が異なるサイズになる時、二つの乳房を外観から同じ大きさに見えるように、気嚢内部にある水や空気の一部が接続通路を介して、一つの嚢から他の嚢に圧迫する。
【０００５】
しかし、上記の従来技術を適用することにより、いくつかの不都合が存在する。したがって、本考案はこのような従来の課題を解決するため、実験と研究を重ねた結果を通じて得られたものである。
【考案の概要】
【考案が解決しようとする課題】
【０００６】
本考案は、これらの欠点を克服するために、新たな技術的設計を提供することで、使用者の利便性を有し、且つ乳房の隆起、平衡と拡大等の視覚効果を奏する。
【課題を解決するための手段】
【０００７】
本考案の一態様によれば、上述の目的を達成するために、ブラジャーは、二つの嚢、流路、及びポンプを含む。前記二つの嚢は、流体で満たされる。前記流路は、前記二つの嚢にある前記流体が前記流路を介して流れるように、前記二つの嚢との間に配置され、且つ前記二つの嚢に通じる。前記ポンプは、前記二つの嚢に前記流体を充填するように、前記流路と接続される。
【０００８】
本考案のもう一つの態様によれば、上述の目的を達成するために、ブラジャーは、二つの嚢、流路、及び流体ノズルを含む。前記二つの嚢は、流体で満たされる。前記流路は、前記二つの嚢にある前記流体が前記流路を介して流れるように、前記二つの嚢との間に配置され、且つ前記二つの嚢に通じる。前記流体ノズルは、前記二つの嚢に前記流体を充填するように、前記流路と接続される。
【０００９】
本考案のさらなる態様によれば、上述の目的を達成するために、ブラジャーは、二つの嚢及び二つの整形片を含む。前記二つの嚢のそれぞれは、流体で満たされ、上縁を有する。前記二つの整形片は、前記二つの嚢に組み立て、それぞれの前記整形片は、前記各嚢に付着される下縁を有し、前記下縁は、前記二つの嚢の上縁が前記二つの乳房に近づくように、前記各嚢の前記上縁を角度で前記使用者に向かって傾けさせる。
【考案の効果】
【００１０】
本考案では、使用者の利便性を有し、且つ乳房の隆起、平衡と拡大等の視覚効果を奏する。
【図面の簡単な説明】
【００１１】
【図１】本考案の実施形態に係るブラジャーを示す正面概略図である。
【図２】本考案の別の実施形態に係るブラジャーを示す正面概略図である。
【図３Ａ】本考案の別の実施形態に係る整形片が付着される前のブラジャーを示す正面概略図である。
【図３Ｂ】図３Ａの実施形態に係る整形片が固定された後のブラジャーを示す正面概略図である。
【考案を実施するための形態】
【００１２】
以下のように、本発明を実施例に基づいて詳述するが、あくまでも例示であって、本発明の範囲はこれらの実施形態に限定されない。本発明の範囲は、特許請求の範囲に記載されており、さらに特許請求の範囲の記載と均等な意味及び範囲内での全ての変更を含んでいる。
【００１３】
図１は、本考案の実施形態に係るブラジャーを示す正面概略図である。図１に示すように、ブラジャー１は、二つの嚢１１，１２、流路３、及びポンプ５を含む。嚢１１，１２は、乳房の内側に向かって圧迫することで乳房を隆起させ、乳房を拡大させる視覚効果を生成するように、女性の二つの乳房に対応して、乳房の下部から外側に至る範囲を部分的に支持する。流路３は、二つの嚢１１，１２に満たされた流体が流路３を介して流れるように、二つの嚢１１，１２との間に配置され、且つ二つの嚢１１，１２に通じる。従って、二つの乳房が異なるサイズである時、小さい乳房の方が小さいスペースしか利用していないので、二つの嚢における圧力がバランスを取るように、より多くの流体が小さい乳房と接触する嚢に流れる。このような状況では、小さい乳房と接触する嚢には、より多くの流体が含まれており、大きな乳房と接触する嚢には、より少ない流体が含まれている。これにより、異なるサイズを有する二つの乳房は、外見から同じようなサイズとすることができる。
【００１４】
嚢１１，１２内の流体は、気体や液体であり、液体は、水や油である。ブラジャー１におけるポンプ５は、流路３に固定され、接続されており、嚢１１，１２に前記流体を充填するように、嚢１１と嚢１２との間に配置される。この実施形態において、流体は気体である。ポンプ５は、プレスポンプであり、例えば台湾新型番号Ｍ３４１７９０に開示されているエアーパッド付き膨脹／換気装置が挙げられる。図１に示すように、本実施形態におけるポンプ５は、空気の膨張と換気を制御するための流体入口弁１５（空気入口弁）及び流体出口弁１３（空気出口弁）を含む。使用者は、ポンプ５を押すことにより、嚢１１と１２を膨らませる。膨張量は、使用者の必要に応じて、胸の隆起、平衡と拡大等の視覚効果を奏するように調整することができる。
【００１５】
この実施形態では、ポンプ５は、ブラジャー１に固定されて接続されるので、ブラジャー１は、必要に応じて、膨張又は換気のために、便利に調整・使用することができる。ポンプ５は、嚢１１と嚢１２（二つのカップ）との間に、すなわち凹状空間内に配置されるように設計されているので、服装を着装する後、ポンプ５の存在が外観から見られず、美しい視覚効果のみが見られる。さらに、使用者は、ポンプ５からの圧迫によって引き起こされた不快感を感じない。ポンプ５の材料は、低密度の材料から選ばれ、例えばプラスチック、ゴム、炭素繊維、アルミニウム合金等が挙げられる。さらに、大容積によるポンプ５からの圧迫を回避するために、好ましくは、圧縮されたサイズに設計されている。
【００１６】
図１に示すように、ブラジャー１は、金属やプラスチックで作られた支持フレーム７を含み、支持フレーム７は、嚢１１と嚢１２を固定し補強するように、嚢１１と嚢１２の下縁及び／又は外縁に配置される。
【００１７】
図１に示すように、ブラジャー１は、翼片２１，２２を更に含み、翼片２１，２２のそれぞれは、二つの嚢１１，１２の外縁のそれぞれに接続される。翼片２１，２２のそれぞれは、前記使用者の身体に翼片２１，２２を接着するように接着剤を適用する表面（接着面）を有し、即ち、前記翼片は、二つの乳房に近い、前記使用者の身体における二つの脇の下方にある。このような状況では、前記使用者は、背部が開いたドレスを着装でき、そして、前記ブラジャーが前記使用者の背後から見えない。補強や他の配慮のために、二つの可撓翼片２１，２２は、使用者の背面に任意に延長することができ、または、ショルダストラップやバックストラップは、ブラジャーに任意に付着することができる。
【００１８】
翼片２１，２２のそれぞれは、硬質片３１，３２を含む。硬質片３１，３２は、二つの翼片２１，２２がカールして自己接着することを避けるように、前記二つの可撓翼片のそれぞれに接続される。
【００１９】
又、美しい外観のために、ブラジャー１は、二つの嚢１１，１２に付着される（又は縫われる）織物及びレースを更に含むことにより、ブラジャー１の外観を美化し、品質確保を促進する。
【００２０】
図１に示すように、ブラジャー１の二つの嚢１１，１２は、厚さがある上縁を有し、前記上縁は、前記厚さを減らすように花弁状部分１７を含んで設計される。また、花弁状部分１７は、下限界を有する。フィルムは、花弁状部分１７の凹面曲線を美化するように、花弁状部分１７の前記下限界に配置される。前記フィルムは、プラスチックフィルム、ゴム膜や皮膜から選ばれたものである。
【００２１】
図２は、本考案の別の実施形態に係るブラジャーを示す正面概略図である。図２に示すように、ブラジャー２は、二つの嚢４１，４２、流路２３及び流体ノズル２５（本実施形態では気体ノズルである）を含む。同様に、嚢４１，４２は、乳房の内側に向かって圧迫することで乳房を隆起させ、乳房を拡大させる視覚効果を生成するように、女性の二つの乳房に対応して、乳房の下部から外側に至る範囲を部分的に支持する。流路２３は、二つの嚢４１，４２にある流体が流路２３を介して流れるように、二つの嚢４１，４２との間に配置され、且つ二つの嚢４１，４２に通じる。従って、前記実施形態のように、本実施形態により、異なるサイズを有する二つの乳房は、外見から同じようなサイズとすることができる。
【００２２】
同様に、嚢４１，４２内の流体は、気体や液体であり、液体は、水や油である。ブラジャー２における流体ノズル２５は、流路２３に固定され、接続されており、嚢４１，４２に前記流体を充填するように、嚢４１と嚢４２との間に配置される。この実施形態において、流体は気体である。流体ノズル２５は、膨脹装置又は気体ポンプ（または液体ポンプ）に接続することにより、嚢４１，４２に気体や液体を充填する。膨張量や充填量は、使用者の必要に応じて、胸の隆起、平衡と拡大等の視覚効果を奏するように調整することができる。
【００２３】
本実施形態では、流体ノズル２５は、嚢４１と嚢４２（二つのカップ）との間の凹状空間内に配置されるように設計されているので、服装を着装する後、流体ノズル２５の存在が外観から見られず、美しい視覚効果のみが見られる。又、使用者は、流体ノズル２５からの圧迫によって引き起こされた不快感を感じない。
【００２４】
図２に示すように、ブラジャー２は、金属やプラスチックで作られた支持フレーム２７を有し、支持フレーム２７は、嚢４１と嚢４２を固定し補強するように、嚢４１と嚢４２の下縁及び／又は外縁に配置される。
【００２５】
図２に示すように、ブラジャー２は、翼片５１，５２を更に含み、翼片５１，５２のそれぞれは、二つの嚢４１，４２の外縁のそれぞれに接続される。翼片５１，５２のそれぞれは、前記使用者の身体に翼片５１，５２を接着するように接着剤を適用する表面を有し、即ち、前記翼片は、二つの乳房に近い、前記使用者の身体における二つの脇の下方にある。このような状況では、前記使用者は、背部が開いたドレスを着装でき、そして、前記ブラジャーが前記使用者の背後から見えない。補強や他の配慮のために、二つの可撓翼片５１，５２は、使用者の背面に任意に延長することができ、または、ショルダストラップやバックストラップは、ブラジャーに任意に付着することができる。
【００２６】
同様に、翼片５１，５２のそれぞれは、硬質片６１，６２を含み、硬質片６１，６２は、二つの翼片５１，５２がカールして自己接着することを避けるように、前記二つの翼片５１，５２のそれぞれに接続される。
【００２７】
又、美しい外観のために、ブラジャー２は、二つの嚢４１，４２に付着される（又は縫われる）織物及びレースを更に含むことにより、ブラジャー２の外観を美化し、品質確保を促進する。
【００２８】
図２に示すように、ブラジャー２の二つの嚢４１，４２は、厚さがある上縁を有し、前記上縁は、前記厚さを減らすように花弁状部分３７を含んで設計される。また、花弁状部分３７は、下限界を有する。フィルムは、花弁状部分３７の凹面曲線を美化するように、花弁状部分３７の前記下限界に配置される。
【００２９】
図３Ａは、本考案の別の実施形態に係る整形片が付着される前のブラジャーを示す正面概略図である。図３Ａに示すように、ブラジャー３Ａは、二つの嚢７１，７２及び整形片８１，８２を含む。整形片８１，８２は、嚢７１，７２に付着されていない（又は縫われていない）。図３Ｂは、図３Ａの実施形態に係る整形片が固定された後のブラジャーを示す正面概略図である。整形片８１，８２の位置は、嚢７１，７２に固定された後、図３Ｂにおける斜線領域で示されている。 図３Ｂ示すように、ブラジャー３Ｂは、二つの嚢７１，７２及び整形片８１，８２を含む。整形片８１，８２の下縁のそれぞれは、嚢７１，７２のそれぞれに固定される。図３Ａ示すように、整形片８１，８２の下縁は、直線形状に近い曲線形状を有する。従って、整形片８１，８２の下縁は、縫製、膠の接着、熱形成等の方法によって嚢７１，７２に固定されると、整形片８１，８２は、角度を傾けることにより、嚢の上縁が使用者の乳房の近くに移動され、前記乳房は、半球形状に近い形状とすることができる。
【００３０】
嚢７１，７２に充填する流体量は、使用者の必要に応じて、胸の隆起、平衡と拡大等の視覚効果を奏するように調整することができる。本実施形態では、嚢７１，７２は、流体（気体、水、油等）を充填する気密嚢であり、製造工程に密封したものである。また、嚢７１，７２は、ポンプ又は流体ノズルに接続されるように設計され、必要に応じて流体で充填／排出することができる。図３Ａ及び図３Ｂに示すように、流路３３は、嚢７１と嚢７２との間に配置されることにより、嚢７１，７２内の流体が流路３３を介して流れることができる。ポンプ３５は、流体を充填／吐出するように流路３３に接続されている。ポンプ３５は、嚢７１と嚢７２の間の凹状空間内に配置されるように設計されているので、使用者が服装を着装する後、ポンプ３５の存在が外観から見られず、美しい視覚効果のみが見られる。又、ポンプ３５は、必要に応じて嚢７１と嚢７２の他の所に配置されるように設計できる。
【００３１】
同様に、本実施形態では、ブラジャー３Ａ又はブラジャー３Ｂは、翼片９１，９２を更に含み、翼片９１，９２のそれぞれは、二つの嚢７１，７２の外縁のそれぞれに接続される。翼片９１，９２のそれぞれは、前記使用者の身体に翼片９１，９２を接着するように接着剤を適用する表面を有し、即ち、前記翼片は、二つの乳房に近い、前記使用者の身体における二つの脇の下方にある。このような状況では、前記使用者は、背部が開いたドレスを着装でき、そして、前記ブラジャーが前記使用者の背後から見えない。補強や他の配慮のために、二つの可撓翼片９１，９２は、使用者の背面に任意に延長することができ、または、ショルダストラップやバックストラップは、ブラジャーに任意に付着することができる。
【００３２】
同様に、翼片９１，９２のそれぞれは、硬質片９３，９４を含み、硬質片９３，９４は、二つの翼片９１，９２がカールして自己接着することを避けるように、前記二つの翼片９１，９２のそれぞれに接続される。
【００３３】
又、美しい外観のために、ブラジャー３Ａや３Ｂは、二つの嚢７１，７２に付着される（又は縫われる）織物及びレースを更に含むことにより、ブラジャー３Ａやブラジャー３Ｂの外観を美化し、品質確保を促進する。
【００３４】
以上説明した内容を通して、当業者であれば本発明の技術思想を逸脱しない範囲で、多様な変更及び修正が可能であることが分かる。従って、本発明の技術的な範囲は、明細書の詳細な説明に記載された内容に限らず、特許請求の範囲によって定めなければならない。
【符号の説明】
【００３５】
１…ブラジャー
３…流路
５…ポンプ
７…支持フレーム
１１…嚢
１２…嚢
１３…流体出口弁
１５…流体入口弁
１７…花弁状部分
２１…翼片
２２…翼片
３１…硬質片
３２…硬質片
２…ブラジャー
２３…流路
２５…流体ノズル
２７…支持フレーム
３７…花弁状部分
４１…嚢
４２…嚢
５１…翼片
５２…翼片
６１…硬質片
６２…硬質片
３Ａ…ブラジャー
３Ｂ…ブラジャー
３３…流路
３５…ポンプ
７１…嚢
７２…嚢
８１…整形片
８２…整形片
９１…翼片
９２…翼片
９３…硬質片
９４…硬質片
【図１】
0003176347.tif 000003
【図２】
0003176347.tif 000004
【図３Ａ】
0003176347.tif 000005
【図３Ｂ】
0003176347.tif 000006